(57)【要約】【課題】  溶解炉用燃焼装置の装置コスト、設置スペース、運転コストを縮減するとともに、溶解対象物に対する加熱効率を高める。【解決手段】  溶解炉における下部溶解槽２の上方の槽上炉内空間５に向けて炉壁１ｃ，１ｄの先端吹込口６ａから燃焼用酸素含有ガスＡを吹き込む燃焼用吹込路６と、炉壁１ｃ，１ｄにおける先端吹込口６ａの近傍、又は、燃焼用吹込路６における先端吹込口６ａの近傍から槽上炉内空間５へ向けてガス燃料Ｇを噴出する燃料噴出器７とを備える溶解炉用燃焼装置において、燃料噴出器７にそれの先端噴出路Ｒ１を囲う配置の囲い熱交換路ＲＸを設け、燃料供給路Ｒから供給されるガス燃料Ｇを囲い熱交換路ＲＸを通じて先端噴出路Ｒ１から噴出させる構造にする。【選択図】        図３
2005282930.tif 000002
【特許請求の範囲】
【請求項１】
溶解炉における下部溶解槽の上方の槽上炉内空間に向けて炉壁の先端吹込口から燃焼用酸素含有ガスを吹き込む燃焼用吹込路と、前記炉壁における先端吹込口の近傍、又は、前記燃焼用吹込路における先端吹込口の近傍から前記槽上炉内空間へ向けてガス燃料を噴出する燃料噴出器とを備える溶解炉用燃焼装置であって、
前記燃料噴出器にそれの先端噴出路を囲う配置の囲い熱交換路を設け、燃料供給路から供給されるガス燃料を前記囲い熱交換路を通じて前記先端噴出路から噴出させる構造にしてある溶解炉用燃焼装置。
【請求項２】
前記囲い熱交換路を、一方向に向けてガス燃料を通過させる一方向流路と、その一方向流路に続いて一方向流路とは逆方向にガス燃料を通過させる他方向流路とが隣接する反転流路構造にしてある請求項１記載の溶解炉用燃焼装置。
【請求項３】
前記先端噴出路をその基端から先端噴出口に向かって直線状に延びる流路にし、
前記他方向流路として、前記先端噴出路を全長にわたって囲う筒状形状で前記先端噴出路の基端に連通する内側流路を設け、
前記一方向流路として、前記内側流路を全長にわたって囲う筒状形状で前記先端噴出路の先端側において前記内側流路に連通し、かつ、前記先端噴出路の基端側において前記燃料供給路に連通する外側流路を設けてある請求項２記載の溶解炉用燃焼装置。
【請求項４】
前記先端噴出路の路芯方向視における前記囲い熱交換路の断面積を同方向視における前記先端噴出路の断面積よりも大きくしてある請求項１〜３のいずれか１項に記載の溶解炉用燃焼装置。
【発明の詳細な説明】
【技術分野】
【０００１】
本発明は、ガラス溶解炉などに用いる溶解炉用燃焼装置に関し、詳しくは、溶解炉における下部溶解槽の上方の槽上炉内空間に向けて炉壁の先端吹込口から燃焼用酸素含有ガスを吹き込む燃焼用吹込路と、前記炉壁における先端吹込口の近傍、又は、前記燃焼用吹込路における先端吹込口の近傍から前記槽上炉内空間へ向けてガス燃料を噴出する燃料噴出器とを備える溶解炉用燃焼装置に関する。
【背景技術】
【０００２】
この種の溶解炉用燃焼装置は、燃焼用吹込路からの燃焼用酸素含有ガスの吹き込み供給の下で、槽上炉内空間において燃料噴出器からの噴出ガス燃料を燃焼させることで、下部溶解槽の槽内物を溶解させるものであるが、従来、この種の溶解炉用燃焼装置においては、炉内の下部溶解槽から飛散した高温溶解物の付着や炉内からの熱輻射による燃料噴出器の熱損傷を防止するのに、燃料噴出器の先端噴出路を囲う状態の冷却室を燃料噴出器に設け、この冷却室に冷却水又は冷却用空気を通流させるようにしていた（特許文献１，２参照）。
【０００３】
【特許文献１】特開２００１−２０１２６２号
【特許文献２】特開２００３−２６９７０９号
【発明の開示】
【発明が解決しようとする課題】
【０００４】
しかし、上記の従来装置では、燃料噴出器の冷却室に対し冷却水や冷却用空気を通流させるのにポンプやブロアを要するため、装置コスト、設置スペース、運転コストが嵩む問題があり、特に、ガス燃料以外の燃料を用いる既設の溶解炉をＣＯ2発生量の低減を目的としてガス燃料専焼方式に切り換えることが近年望まれるものの、上記ポンプ，ブロアの追加設置が必要なことがガス専焼方式への切り換えの障害になっていた。
【０００５】
また、一般に予熱したガス燃料を燃料噴出器から噴出させれば、カーボンの析出により燃焼炎の輝度が高くなって、溶解槽の槽内物に対する加熱効率が高くなり、経済面及び省エネ面で有利になることが知られているが、上記従来装置では、冷却水や冷却用空気が通流する冷却室により燃料噴出器の先端噴出路が囲まれるため、先端噴出路の通流過程において予熱ガス燃料が冷却水や冷却用空気との熱交換により冷却されてしまい、この為、予熱による効果を得難い問題もあった。
【０００６】
そしてまた、冷却室に冷却水を通流させるものでは、熱損傷を初めとする何らか原因で冷却水の室壁が破損して冷却水が漏出したとき、その漏出水と高温溶解物との接触事故を招く危険性もあった。
【０００７】
この実情に鑑み、本発明の主たる課題は、溶解路用燃焼装置における燃料噴出器の冷却保護に合理的な冷却方式を採用することにより、上記の如き問題を効果的に解消する点にある。
【課題を解決するための手段】
【０００８】
本発明の第１特徴構成は、溶解炉における下部溶解槽の上方の槽上炉内空間に向けて炉壁の先端吹込口から燃焼用酸素含有ガスを吹き込む燃焼用吹込路と、前記炉壁における先端吹込口の近傍、又は、前記燃焼用吹込路における先端吹込口の近傍から前記槽上炉内空間へ向けてガス燃料を噴出する燃料噴出器とを備える溶解炉用燃焼装置において、
前記燃料噴出器にそれの先端噴出路を囲う配置の囲い熱交換路を設け、燃料供給路から供給されるガス燃料を前記囲い熱交換路を通じて前記先端噴出路から噴出させる構造にしてある点に特徴がある。
【０００９】
この第１特徴構成によれば、燃料噴出器の先端噴出路を囲う配置の囲い熱交換路（従来装置の冷却室に相当）を通じて燃料供給路からのガス燃料を先端噴出路から噴出させるから、そのガス燃料を冷却水や冷却用空気に代わる冷却用流体に利用して燃料噴出器を冷却する形態で、燃料噴出器の熱損傷を防止することができる。
【００１０】
すなわち、燃料噴出器を炉壁における燃料用吹込路の先端吹込口の近傍、又は、燃焼用吹込路における先端吹込口の近傍のいずれに配置する方式の溶解炉についても、炉内の下部溶解槽から飛散した高温溶解物の付着や炉内からの熱輻射による燃料噴出器の熱損傷を、上記の如きガス燃料の冷却用流体としての利用により効果的に防止することができる。
【００１１】
また、仮に囲い熱交換路の路壁が破損してガス燃料が漏出したとしても、燃焼用吹込路からの燃焼用酸素含有ガスの吹き込み供給下において漏出ガス燃料が不安定ながらも炉内で燃焼するだけで、水と高温溶解物の接触事故を招くようなことはなく、この点、安全性にも優れた溶解炉用燃焼装置にすることができる。
【００１２】
そして、このようにガス燃料を冷却用流体に用いることで、装置運転上、ガス燃料を燃料噴出器に送って先端噴出路から噴出させのに本来的に必要なガス燃料送給圧を利用して冷却用流体としてのガス燃料を囲い熱交換路に通流させることができるから、冷却水送給用のポンプや冷却用空気送給用のブロアが不要になり、これにより、先述の従来設備に比べ、装置コスト、設置スペース、運転コストを縮減することができる。
【００１３】
しかも、燃料噴出器に供給されたガス燃料は囲い熱交換路の通過過程における周囲高温雰囲気との熱交換で予熱され、その予熱されたガス燃料が先端噴出路から噴出されるから、カーボン析出により燃焼炎の輝度を高めて炉内下部溶解槽の槽内物に対する加熱効率を高めるといったガス燃料予熱の効果も、専用予熱装置の付加装備を必要とせずに得ることができて、この点で、経済面及び省エネ面で一層優れた溶解炉用燃焼装置にすることができ、ひいては、これらのことから既設の溶解炉あるいは新設の溶解炉を問わずガス専焼方式の採用を促進することができて、環境問題であるＣＯ2発生量の削減にも大きく寄与することができる。
【００１４】
なお、第１特徴構成の実施において、先端噴出路を囲う囲い熱交換路の具体的な構造は、先端噴出路を形成する管を内部に配置した室状（いわゆるジャケット状）のものに限らず、通過ガス燃料を冷却用流体として燃料噴出器を冷却保護し得る構造であれば、その他、種々の構造を採用できる。
【００１５】
本発明の第２特徴構成は、前記囲い熱交換路を、一方向に向けてガス燃料を通過させる一方向流路と、その一方向流路に続いて一方向流路とは逆方向にガス燃料を通過させる他方向流路とが隣接する反転流路構造にしてある点に特徴がある。
【００１６】
この第２特徴構成によれば、ガス燃料を一方向流路に続いて他方向流路を逆向きに通過させるいわゆる反転流動形態で囲い熱交換路に通流させることにより、それら一方向流路と他方向流路との間の仕切壁もいわゆるフィン的な伝熱壁として機能させて、囲い熱交換路の全体としての伝熱面積を大きくする（略言すれば、囲い熱交換路の路長を長くする）ことができ、また設計によっては、それに加え、冷却用流体としてのガス燃料が囲い熱交換路を通過するのに要する時間も長くすることもできる。
【００１７】
そして、その分、ガス燃料を囲い熱交換路の通過過程において一層有効に冷却用流体として機能させることができ、また逆言すれば、囲い熱交換路の通過過程における周囲高温雰囲気との熱交換によるガス燃料の予熱を一層促進することができ、これにより、燃料噴出器の冷却保護を一層効果的なものにし得るとともに、前述の予熱効果を一層効果的に得ることができる。
【００１８】
なお、第２特徴構成の実施において、反転流路構造は、１つの一方向流路と１つの他方向流路とが隣接する一回反転の構造に限られるものでなく、隣接する２つの流路が一方向流路と他方向流路との関係となる３以上の流路を備える２回反転以上の構造にし、そのことで、上記効果をさらに高めるようにしてもよい。
【００１９】
本発明の第３特徴構成は、前記先端噴出路をその基端から先端噴出口に向かって直線状に延びる流路にし、
前記他方向流路として、前記先端噴出路を全長にわたって囲う筒状形状で前記先端噴出路の基端に連通する内側流路を設け、
前記一方向流路として、前記内側流路を全長にわたって囲う筒状形状で前記先端噴出路の先端側において前記内側流路に連通し、かつ、前記先端噴出路の基端側において前記燃料供給路に連通する外側流路を設けてある点に特徴がある。
【００２０】
この第３特徴構成によれば、他方向流路としての筒状の内側流路が直線状の先端噴出路を全長にわたって囲い、また、一方向流路としての筒状の外側流路が内側流路を全長にわたって囲う構造であることから、燃料噴出器の先端噴出路を直線状に延びる流路とすることで、その先端噴出路からの噴出燃料ガスの直進性を高めて、槽上炉内空間の内方へ十分に延びる燃焼炎を形成することにおいて、その直線状に延びる先端噴出路の路長を利用した状態で、囲い熱交換路としての内側流路及び外側流路夫々の路長を大きく確保することができる。
【００２１】
そして、このことにより、燃料噴出器の全体をコンパクトにして燃料噴出器の設置性を高めながら、ガス燃料を囲い熱交換路の通過過程において極力有効に冷却用流体として機能させることができ、また、囲い熱交換路の通過過程における周囲高温雰囲気との熱交換によるガス燃料の予熱を極力促進することができる。
【００２２】
なお、第３特徴構成の実施においては、噴出ガス燃料の直進性（燃焼炎の直進性）を確保する上で、また、上記効果を十分に得る上で、直線状に延びる先端噴出路の路長をその先端噴出路の直径相当寸法の２倍以上にするのが望ましい。
【００２３】
また、第３特徴構成の実施においては、１つの内側流路と１つの外側流路とを重ねる二重の筒状流路構造に限らず、３つ以上の筒状流路をその中に上記内側流路と外側流路との関係となる流路対が一対ないし複数対存在する状態にして重ねる三重以上の筒状流路構造にしてもよい。
【００２４】
本発明の第４特徴構成は、前記先端噴出路の路芯方向視における前記囲い熱交換路の断面積を同方向視における前記先端噴出路の断面積よりも大きくしてある点に特徴がある。
【００２５】
この第４特徴構成によれば、先端噴出路からの噴出ガス燃料の流量（換言すれば、燃料噴出器に対するガス燃料の供給流量）の割に、囲い熱交換路におけるガス燃料の保有量を効果的に大きくすることができて、そのことで、ガス燃料が囲い熱交換路を通過するのに要する時間を長くすることができ、その分、ガス燃料を囲い熱交換路の通過過程において一層有効に冷却用流体として機能させることができ、また、囲い熱交換路の通過過程における周囲高温雰囲気との熱交換によるガス燃料の予熱を一層促進することができる。
【発明を実施するための最良の形態】
【００２６】
〔第１実施形態〕
図１，図２はガラス溶解炉を示し、アーチ型の天井を備えるとともに下部に溶解槽２を備える炉体１を設け、この炉体１の長手方向における一端側の炉壁１ａには原料投入口３ａを形成し、他端側の炉壁１ｂの下部には取出口３ｂを形成してあり、その他端側炉壁１ｂの外側には取出口３ｂを通じて溶解槽２に連通させた作業槽２Ａを設けてある。
【００２７】
つまり、このガラス溶解炉では、原料投入口３ａを通じ原料ガラスを溶解槽２の一端に投入して、この原料ガラスを溶解槽２内で溶融させ、そして、溶解槽２の他端に向かう溶融ガラスＭの流動を伴う状態で、取出口３ｂを通じて潜り堰式に溶融ガラスＭを作業槽２Ａに送り出すようにしてある。
【００２８】
炉体１の両横側には蓄熱室４を設け、また、炉体１の両横炉壁１ｃ，１ｄの上部には、燃焼用酸素含有ガスとしての燃焼用空気Ａを溶解槽２の上方の槽上炉内空間５に向けて吹き込む複数の燃焼用吹込路６夫々の先端吹込口６ａ（いわゆるポート）を炉体長手方向（すなわち、溶融ガラスの流れ方向）に並べて形成してあり、これら燃焼用吹込路６は炉体１の左右夫々において蓄熱室４に連通させてある。
【００２９】
また、両横炉壁１ｃ，１ｄにおける先端吹込口６ａ各々の下方近傍箇所には、槽上炉内空間５に向けてガス燃料Ｇを噴出する燃料噴出器７を設け、これら燃料噴出器７からの噴出ガス燃料Ｇを、燃焼用吹込路６からの燃焼用空気Ａの吹き込み供給下において槽上炉内空間５で燃焼させることにより、溶解槽２における原料ガラスを加熱溶融させる。
【００３０】
すなわち、このガラス溶解炉は、燃焼用吹込路６の先端吹込口６ａ、及び、燃料噴出器７を溶融ガラスの流れ方向に複数並べた所謂サイドポート式で、かつ、燃料噴出器７を横炉壁１ｃ，１ｄにおける先端吹込口６ａの下方近傍に配置する所謂アンダーポート式の溶解炉にしてある。
【００３１】
燃料噴出器７は、左右一方の横炉壁１ｃに装備のものと左右他方の横炉壁１ｄに装備のものとを所定時間づつ交互に燃料噴出させるようにし、また、この交互の燃料噴出に同調させた風路切り換えにより、燃料噴出状態にある燃料噴出器７と同じ側の燃焼用吹込路６は、それに連通する蓄熱室４を通じて供給される燃焼用空気Ａの吹き込みを行わせるのに対し、燃料噴出停止状態にある燃料噴出器７と同じ側の燃焼用吹込路６は、先端吹込口６ａ，燃焼用吹込路６、それに連通の蓄熱室４を通じて槽上炉内空間５から燃焼排ガスＥを排出する排気路として機能させるようにしてある。
【００３２】
つまり、この交互の燃料噴出、及び、それに同調する風路切り換えにより、左右一方の横炉壁１ｃの側から槽上炉内空間５に向けて燃焼炎Ｆを形成する状態と、左右他方の横炉壁１ｄの側から槽上炉内空間５に向けて燃焼炎Ｆを形成する状態とを交互に繰り返す交番燃焼を行う。
【００３３】
また、燃焼用吹込路６を排気路として機能させている側の蓄熱室４では、燃焼用吹込路６を通じて導入される燃焼排ガスＥの保有熱を蓄熱材に蓄熱するようにし、この蓄熱により、次にその燃焼用吹込路６を通じて燃焼用空気Ａを槽上炉内空間５に吹き込む際には、その吹き込み燃焼用空気Ａを蓄熱室４の通過過程において蓄熱材により予熱するようにしてある。
【００３４】
このアンダーポート式ガラス溶解炉の燃料噴出器７は、図３，図４に示す如く、燃料供給路Ｒを形成する管８の先端に連結固定する筒状の基体部材９と、その基体部材９の先端側に連結固定する筒状の外郭部材１０と、基体部材９の先端で外郭部材１０の内方に位置させる環状の仕切部材１１と、その仕切部材１１の内方に位置させる有底筒状の噴出路形成部材１２とからなり、外郭部材１０は、それの基端雌ネジ部１０ａを基体部材９の先端雄ネジ部９ａに螺合することで基端部材９に連結固定し、仕切部材１１は、それの基端環状壁部１１ａの外周部を基体部材９の先端と外郭部材１０の内側段部１０ｂとの間に挟み込むことで固定し、また、噴出路形成部材１２は、それの基端雄ネジ部１２ａを仕切部材１１の基端環状壁部１１ａにおける中央雌ネジ孔１１ｂに螺合することで固定する構造にしてある。
【００３５】
外郭部材１０の先端には環状の壁部１０ｃを形成してあり、この環状壁部１０ｃの中央孔周縁部に対し噴出路形成部材１２の先端を気密に当接させることにより、環状壁部１０ｃの中央孔１０ｄと噴出路形成部材１２の内部孔１２ｂとを同芯状に連通させて、これら環状壁部１０ｃの中央孔１０ｄと噴出路形成部材１２の内部孔１２ｂとにより、環状壁部１０ｃの中央孔１０ｄを先端噴出口とする構造で直線状に延びる先端噴出路Ｒ１を、燃料噴出器７の中心部に形成するようにしてある。
【００３６】
また、外郭部材１０と噴出路形成部材１２と仕切部材１１の基端環状壁部１１ａとの三者により囲まれる環状の内部空間１３は、仕切部材１１の基端環状壁部１１ａから先端側へ突出させた筒状の仕切壁部１１ｃにより内側と外側との２域に仕切るようにし、この仕切りにより、外郭部材１０と噴出路形成部材１２との間には、先端噴出路Ｒ１を全長にわたって同芯状に囲む筒状の内側流路Ｒ２と、その内側流路Ｒ２を全長にわたって同芯状に囲む筒状の外側流路Ｒ３とを形成する構造にしてある。
【００３７】
そして、仕切部材１１の基端環状壁部１１ａに形成してある周方向に並ぶ複数の貫通孔１１ｄにより、先端噴出路Ｒ１の基端側において外側流路Ｒ３を燃料供給路Ｒに連通させるとともに、仕切部材１１における筒状仕切壁部１１ｃの先端と外郭部材１０の環状壁部１０ｃとの間の隙間１３ａにより、先端噴出路Ｒ１の先端側において内側流路Ｒ２と外側流路Ｒ３とを連通させ、さらに、噴出路形成部材１２の基端部に形成した周方向に並ぶ複数の貫通孔１２ｃにより、先端噴出路Ｒ１の基端側において内側流路Ｒ２を先端噴出路Ｒ１に連通させるようにしてある。
【００３８】
つまり、この燃料噴出器７では、燃料供給路Ｒから供給されるガス燃料Ｇを仕切部材１１の貫通孔１１ｄを通じ外側流路Ｒ３に導入して外側流路Ｒ３中を先端向きに通過させ、これに続き、そのガス燃料Ｇを隙間１３ａを通じ先端側で反転させて内側流路Ｒ２中を逆向きに通過させ、そして、そのガス燃料Ｇを噴出路形成部材１２の貫通孔１２ｃを通じ先端噴出路Ｒ１の基端側に導入することで、ガス燃料Ｇを先端側噴出路Ｒ１を通じて先端噴出口１０ｄから槽上炉内空間５へ噴出させるようにしてあり、直線状に延びる先端側噴出路Ｒ１の通過過程で噴出ガス燃料Ｇに直進性を与えるようにしてある。
【００３９】
また、直線状に延びる先端噴出路Ｒ１を全長にわたって囲う筒状の外側流路Ｒ３及び内側流路Ｒ２を通じて、ガス燃料Ｇを先端噴出路Ｒ１から噴出させることで、それら外側流路Ｒ３及び内側流路Ｒ２の通過過程にあるガス燃料Ｇを冷却用流体として燃料噴出器７を冷却保護するように、さらには、外側流路Ｒ３及び内側流路Ｒ２の通過過程における周囲高温雰囲気との熱交換によりガス燃料Ｇを予熱して、その予熱により燃料炎Ｆの輝度を高めるようにしてある。
【００４０】
なお、噴出燃料ガスＧの直進性を高める為、先端噴出路Ｒ１の路長Ｌは先端噴出路Ｒ１の直径Ｄの２倍以上（例えば、Ｌ＝３０ｍｍ，Ｄ＝１４ｍｍ）にしてあり、また、冷却保護機能を高める為、先端噴出路Ｒ１の路芯方向における内側流路Ｒ２及び外側流路Ｒ３の断面積（環状内部空間１３の断面積）は同方向視における先端噴出路Ｒ１の断面積よりも大きくして、内側流路Ｒ２及び外側流路Ｒ３におけるガス燃料Ｇの保有量を大きく確保するようにしてある。
【００４１】
以上要するに、本第１実施形態の燃料噴出器７では、先端噴出路Ｒ１を囲う配置の囲い熱交換路ＲＸとして上記内側流路Ｒ２及び外側流路Ｒ３を設け、この囲い熱交換路ＲＸを通じて燃料供給路Ｒからのガス燃料Ｇを先端噴出路Ｒ１から噴出させる構造を採用している。
【００４２】
また、一方向に向けてガス燃料Ｇを通過させる一方向流路Ｒａとして上記外側流路Ｒ３を設けるとともに、その一方向流路Ｒａに続き一方向流路Ｒａとは逆向きにガス燃料Ｇを通過させる他方向流路Ｒｂとして上記内側流路Ｒ２を設けることで、上記囲い熱交換路ＲＸを、一方向流路Ｒａと他方向流路Ｒｂとが隣接する反転流路構造にしてある。
【００４３】
〔第２実施形態〕
図５，図６は第１実施形態で示したガラス溶解炉とは異なる方式のガラス溶解炉を示し、アーチ型の天井を備えるとともに下部に溶解槽２２を備える炉体２１を設け、この炉体２１の長手方向に沿う左右一方の横炉壁２１ｃの炉体長手方向における一端側には原料投入口２３ａを形成し、炉体長手方向における他端側の炉壁２１ｂの下部には取出口２３ｂを形成してあり、その他端側炉壁２１ｂの外側には取出口２３ｂを通じて溶解槽２２に連通させた作業槽２２Ａを設けてある。
【００４４】
つまり、このガラス溶解炉では、原料投入口２３ａを通じ原料ガラスを炉体２１の横側から溶解槽２２の一端に投入して、この原料ガラスを溶解槽２２内で溶融させ、そして、溶解槽２２の他端に向かう溶融ガラスＭの流動を伴う状態で、取出口２３ｂを通じて潜り堰式に溶融ガラスＭを作業槽２２Ａに送り出すようにしててある。
【００４５】
炉体２１の長手方向における一端側には２つの蓄熱室２４を左右に並べて設け、また、炉体長手方向における一端側の炉壁２１ａの上部には、燃焼用酸素含有ガスとしての燃焼用空気Ａを溶解槽２２の上方の槽上炉内空間２５に向けて吹き込む２つの燃焼用吹込路２６夫々の先端吹込口２６ａを左右に並べて形成してあり、これら燃焼用吹込路２６は左右２つの蓄熱室２４に対し各別に連通させてある。
【００４６】
また、２つの燃焼用吹込路２６の夫々における先端吹込口２６ａ近傍の路底部には、槽上炉内空間２５に向けてガス燃料Ｇを噴出する燃料噴出器２７を、燃焼用吹込路２６の路内に突出させた噴出時用の突出姿勢と燃料用吹込路２６から下方へ引退させた停止時用の引退姿勢とに自動切り換えさせるように設け、これら燃料噴出器２７からの噴出燃料ガスＧを、燃焼用吹込路２６からの燃焼用空気Ａの吹き込み供給下において槽上炉内空間２５で燃焼させることにより、溶解層２２における原料ガラスを加熱溶融させる。
【００４７】
すなわち、このガラス溶解炉は、燃焼用吹込路２６の先端吹込口２６ａ、及び、燃料噴出器２７を溶融ガラスの流れ方向の基端側に配置した所謂エンドポート式で、かつ、燃料噴出器２７を燃焼用吹込路２６における先端吹込口２６ａ近傍の路底部に配置する所謂スルーポート式の溶解炉にしてある。
【００４８】
左右２つの燃料噴出器２７は、一方と他方とを所定時間づつ交互に突出姿勢で燃料噴出させるようにし、また、この交互の燃料噴出に同調させた風路切り換えにより、燃料噴出状態にある燃料噴出器２７の側の燃焼用吹込路２６は、それに連通する蓄熱室２４を通じて供給される燃焼用空気Ａの吹き込みを行わせるのに対し、燃料噴出停止状態にある燃料噴出器２７の側の燃焼用吹込路２６は、先端吹込口２６ａ，燃焼用吹込路２６、それに連通の蓄熱室２４を通じて槽上炉内空間２５から燃焼排ガスＥを排出する排気路として機能させるようにしてある。
【００４９】
つまり、この交互の燃料噴出、及び、それに同調する風路切り換えにより、一端側路壁２１ａの右側から槽上炉内空間２５に向けて燃焼炎Ｆを形成する状態と、左側から槽上炉内空間２５に向けて燃焼炎Ｆを形成する状態とを交互に繰り返す交番燃焼を行う。
【００５０】
また、燃焼用吹込路２６を排気路として機能させている側の蓄熱室２４では、燃焼用吹込路２６を通じて導入される燃焼排ガスＥの保有熱を蓄熱材に蓄熱するようにし、この蓄熱により、次にその燃焼用吹込路２６を通じて燃焼用空気Ａを槽上炉内空間２５に吹き込む際には、その吹き込み燃焼用空気Ａを蓄熱室４の通過過程において蓄熱材により予熱するようにしてある。
【００５１】
このスルーポート式ガラス溶解炉の燃料噴出器２７は、図７，図８に示す如く、上底部を弧状にした縦筒状の器体３０の底部に燃料供給路Ｒの形成管２８を接続して、その燃料供給路Ｒにより導かれるガス燃料Ｇを器体３０内の受入室３０ａに受け入れ、その受け入れたガス燃料Ｇを器体３０の上部前面に形成した左右に並ぶ３つの先端噴出口３１から噴出させる構造にしてある。
【００５２】
器体３０内の上部には、側面断面形状が上向開口「コ」の字状の複数の底側仕切部材３２と器体１の上底部から垂下させた複数の垂壁状仕切板３３との交互組み合わせにより、縦姿勢の板間流路ｒが前後方向に複数並び、かつ、隣接する板管流路ｒどうしを上端側と下端側とで交互に連通させた流路郡ＭＲを、器体前側と器体後側との夫々に対称構造で形成してあり、これら器体前側及び器体後側の流路群ＭＲどうしの間には、両流路群ＭＲにおいて複数の板管流路ｒにより形成される蛇行流路を通じて器体３０内の受入室３０ａに連通させる送出室３０ｂを形成してある。
【００５３】
そして、管内を先端噴出路Ｒ１とする３本のＬ字状噴出管３４を器体前側の流路群ＭＲに貫通させる状態に配置して、それらＬ字状噴出管３４の後端を送出室３０ｂ内で上向に開口させるとともに、それらＬ字状噴出管３４の前端を前記の噴出口３１として器体１の上部前面に開口させた構造にしてある。
【００５４】
つまり、この燃料噴出器２７では、燃料供給路Ｒから供給されるガス燃料Ｇを受入室３０ａに受け入れたのち、器体前側及び器体後側の流路群ＭＲの夫々において複数の板間流路ｒにより形成される蛇行流路を通じて複数回にわたり通過向きを反転させながら送出室３０ｂに流入させ、そして、その送出室３０ｂから先端噴出路Ｒ１及び先端噴出口３１を通じてガス燃料Ｇを槽上炉内空間２５へ噴出させるようにしてある。
【００５５】
また、先端噴出路Ｒ１を囲う配置の器体前側及び器体後側の流路群ＭＲの夫々において複数回にわたり反転させながらガス燃料Ｇを送出室３０ｂに流入させて先端噴出路Ｒ１から噴出させることで、両流路群ＭＲにおける複数の板間流路ｒ（蛇行流路）の通過過程にあるガス燃料Ｇを冷却用流体として燃料噴出器２７を冷却保護するように、さらには、複数の板間流路ｒ（蛇行流路）の通過過程における周囲高温雰囲気との熱交換によりガス燃料Ｇを予熱して、その予熱により燃焼炎Ｆの輝度を高めるようにしてある。
【００５６】
なお、冷却保護機能を高める為、先端噴出路Ｒ１の路芯方向（本例では、Ｌ字状噴出管３４の縦部分の管芯方向）における両流路群ＭＲの断面積は同方向視における先端噴出路Ｒ１の断面積よりも大きくしてある。
【００５７】
以上要するに、本第２実施形態の燃料噴出器２７では、先端噴出路Ｒ１を囲う配置の囲い熱交換路ＲＸとして、器体前側及び器体後側の流路群ＭＲ（具体的には、それら流路群ＭＲにおいて複数の板間流路ｒにより形成される蛇行流路）を設け、この囲い熱交換路ＲＸを通じて燃料供給路Ｒからのガス燃料Ｇを先端噴出路Ｒ１から噴出させる構造を採用している。
【００５８】
また、一方向に向けてガス燃料Ｇを通過させる一方向流路Ｒａ、及び、その一方向流路Ｒａに続き一方向流路Ｒａとは逆向きにガス燃料Ｇを通過させる他方向流路Ｒｂとして、上端側又は下端側で連通させた互いに隣り合う縦姿勢の板間流路ｒを設けることで、上記囲い熱交換路ＲＸを、一方向流路Ｒａと他方向流路Ｒｂとが隣接する反転流路構造にしてある。
〔別の実施形態〕
次に本発明の別実施形態を列記する。
【００５９】
本発明の実施において、燃料噴出器７，２７の具体的構造は前述の実施形態で示した構造に限らす種々の変更が可能であり、また、燃料噴出器７，２７において先端噴出路Ｒ１を囲う囲い熱交換路ＲＸの具体的構造も前述の実施形態で示した構造に限らず、例えば、囲い熱交換路ＲＸを形成する管を先端噴出路Ｒ１の形成管に対して螺旋状に巻き付ける構造を採用するなど、通過ガス燃料Ｇを冷却用流体として燃料噴出器７，２７を冷却保護し得る構造であれば、種々の変更が可能である。
【００６０】
囲い熱交換路ＲＸを、一方向に向けてガス燃料Ｇを通過させる一方向流路Ｒａと、その一方向流路Ｒａに続いて一方向流路Ｒａとは逆方向にガス燃料Ｇを通過させる他方向流路Ｒｂとが隣接する反転流路構造にする場合、それら一方向流路Ｒａ及び他方向流路Ｒｂは、環状断面形状のものや平板状のもの、あるいは、波板状のものなど、どのような形状の流路であってもよい。
【００６１】
燃焼用吹込路６，２６から槽上炉内空間５，２５に対して吹込み供給する燃焼用酸素含有ガスは、空気に限られるものではなく、ガス燃料Ｇの燃焼において必要な酸素を得られるものであれば、どのようなガスであってもよい。また、燃料噴出器７，２７から噴出させるガス燃料Ｇも、都市ガス、プロパンガス、工場などでの副生ガスなど、種々のガス燃料を使用できる。
【００６２】
前述の第１実施形態ではサイドポート式でかつアンダーポート式の溶解炉を示し、また、前述の第２実施形態ではエンドポート式でかつスルーポート式の溶解炉を示したが、本発明による溶解炉用燃焼装置は、これらの他、サイドポート式でかつスルーポート式の溶解炉や、エンドポート式でかつアンダーポート式の溶解炉など、種々の形式の溶解炉に適用でき、また、ガラス溶解炉以外の溶解炉にも適用できる。
【産業上の利用可能性】
【００６３】
本発明による溶解炉用燃焼装置は、ガラス溶解炉を初め、種々の溶解炉の溶解用加熱置として利用できる。
【図面の簡単な説明】
【００６４】
【図１】第１実施形態に係るガラス溶解炉の正面視断面図
【図２】第１実施形態に係るガラス溶解炉の平面視断面図
【図３】第１実施形態に係る燃料噴出器の縦断面図及び分解断面図
【図４】第１実施形態に係る燃料噴出器の横断面図
【図５】第２実施形態に係るガラス溶解炉の側面視断面図
【図６】第２実施形態に係るガラス溶解炉の平面視断面図
【図７】第２実施形態に係る燃料噴出器の側面視断面図
【図８】第２実施形態に係る燃料噴出器の平面視断面図
【符号の説明】
【００６５】
２，２２          溶解槽
５，２５          槽上炉内空間
１ｃ，１ｄ，１ａ  炉壁
６ａ，２６ａ      先端吹込口
Ａ                燃焼用酸素含有ガス
６，２６          燃焼用吹込路
Ｇ                ガス燃料
７，２７          燃料噴出器
Ｒ１              先端噴出路
ＲＸ              囲い熱交換路
Ｒ                燃料供給路
Ｒａ              一方向流路
Ｒｂ              他方向流路
１０ｄ，３１      先端噴出口
Ｒ２              内側流路
Ｒ３              外側流路
【図１】
2005282930.tif 000003
【図２】
2005282930.tif 000004
【図３】
2005282930.tif 000005
【図４】
2005282930.tif 000006
【図５】
2005282930.tif 000007
【図６】
2005282930.tif 000008
【図７】
2005282930.tif 000009
【図８】
2005282930.tif 000010